(57)【要約】
【課題】譜面支えの角度調整が常に安定して確実に行え、膝などが無用に当たっても譜面支えの角度が変わるようなことのない譜面台を提供する。
【解決手段】譜面支え４の後面に固着される腕部材５と支柱１の上端に固着される保持部材１１とを備え、腕部材５と保持部材１１との対峙する鉛直面にそれぞれ同一水平軸を中心としかつ互いに噛合し得る円形噛合部８，１３を設け、両円形噛合部８，１３は互いに水平方向に接離自在に設けられると共に適宜弾発手段２３により常に噛合するように付勢され、弾発手段２３の付勢に抗して両円形噛合部８，１３を離隔したとき譜面支え４が鉛直面内で前後に回動でき、また、両円形噛合部８，１３が噛合したとき譜面支え４が所望の角度位置で停止保持されるようにした。
【選択図】図４
0003100264.tif 000002
【実用新案登録請求の範囲】
【請求項１】
　譜面支えの後面に固着される腕部材と支柱の上端に固着される保持部材とを備え、前記腕部材と前記保持部材との対峙する鉛直面にそれぞれ同一水平軸を中心としかつ互いに噛合し得る円形噛合部を設け、前記両円形噛合部は互いに水平方向に接離自在に設けられると共に適宜弾発手段により常に噛合するように付勢され、前記弾発手段の付勢に抗して前記両円形噛合部を離隔したとき前記譜面支えが鉛直面内で前後に回動でき、また、前記弾発手段により前記両円形噛合部が噛合したとき前記譜面支えが所望の角度位置で停止保持されるようにしたことを特徴とする譜面台。
【考案の詳細な説明】
【技術分野】
【０００１】
　本考案は、譜面支えがワンタッチで自在に回動できる譜面台に関するものである。
【背景技術】
【０００２】
　従来、この種譜面台として次のようなものがある。すなわち、この譜面台は支柱上端の前後方向扁平部へ合成ゴム等の滑り止め材料を被覆し、これにより支柱上端の左右両側に扁平櫂動面を設け、該扁平櫂動面の横方向へねじ孔を貫通して設けている。一方、譜面支えの中央下部裏面にコ字型挟持具の背部を固着し、該挟持具にねじ孔を貫通して設け、前記支柱上端の扁平櫂動面を前記コ字型挟持具の溝部へ互いのねじ孔が一致するようにして挟入し、前記ねじ孔へボルトを挿入し、ナットにて締付け固定するようにした構成からなる（特許文献１参照。）。
【特許文献１】実用新案登録第３０６６２１２号公報（第３−５頁、図４）
【考案の開示】
【考案が解決しようとする課題】
【０００３】
　前記特許文献１の譜面台は、譜面支えの角度が簡単に変更できる反面、ボルトとナットによる締付け力が強過ぎると譜面支えの角度の変更がし難く、また、緩過ぎると膝などが無用に当たっただけで譜面支えが簡単にその角度を変えてしまい再び元の最適な角度に調整し直さなければならない。このことから、ボルトとナットの締付け加減の調整が難しい。また、滑り止め材料である合成ゴムは経年的に劣化しボルトとナットによる締付け力は時と共に変わることから、締付力も変えなくてはならず不安定であって確実性に乏しく、その調整が更に難しくなるという課題が有る。
【０００４】
　そこで、本考案は上記課題を解決すべくなされたもので、譜面支えの角度調整がワンタッチで簡単に行なえるばかりでなく、その角度調整が常に変わることなく確実に行え、膝などが無用に当たっても譜面支えの角度が変わるようなことのない譜面台を提供することを目的とするものである。
【課題を解決するための手段】
【０００５】
　かかる目的を達成するため本考案に係る譜面台は、譜面支えの後面に固着される腕部材と支柱の上端に固着される保持部材とを備え、前記腕部材と前記保持部材との対峙する鉛直面にそれぞれ同一水平軸を中心としかつ互いに噛合し得る円形噛合部を設け、前記両円形噛合部は互いに水平方向に接離自在に設けられると共に適宜弾発手段により常に噛合するように付勢され、前記弾発手段の付勢に抗して前記両円形噛合部を離隔したとき前記譜面支えが鉛直面内で前後に回動でき、また、前記弾発手段により前記両円形噛合部が噛合したとき前記譜面支えが所望の角度位置で停止保持されるようにした構成からなる。
【考案の効果】
【０００６】
　本考案は、譜面支え側の腕部材と支柱側の保持部材との対峙する鉛直面に、それぞれ同一水平軸を中心としかつ互いに噛合し得る円形噛合部を設け、両円形噛合部は互いに水平方向に接離自在に設けられると共に適宜弾発手段により常に噛合するように付勢されるので、弾発手段の付勢に抗して両円形噛合部を離隔したとき譜面支えが鉛直面内で前後に回動でき、また、弾発手段により両円形噛合部が噛合したとき譜面支えが所望の角度位置で停止保持され、譜面支えの角度調整がワンタッチで簡単に行なえる。しかも、その角度調整が常に変わることなく安定して確実に行え、膝などが無用に当たっても譜面支えの角度が変わるようなこともなく使い勝手が良いという効果を有する。
【考案を実施するための最良の形態】
【０００７】
　以下、本考案に係る譜面台の実施の形態を図面に基き説明する。図１は譜面台の後から見た斜視図、図２は同要部の拡大斜視図、図３は同要部の側面断面図、図４は同分解斜視図である。
【０００８】
　譜面台Ａは、鉛直に起立できると共に複数本（本実施の形態では３本）の太さが順に細くなる金属パイプ１ａ，１ｂ，１ｃを伸縮自在に接続した支柱１を有する。上端位置の金属パイプ１ａを除き、各金属パイプ１ｂ，１ｃの上端部に調整ねじ２が装着され、各上位置にある金属パイプ１ａ，１ｂの高さを自在に調節して固定できるようになっている。
【０００９】
　前記最下端位置の金属パイプ１ｃに折畳み自在の三脚３が装着されている。また、最上端位置の金属パイプ１ａの上端部に、複数本（本実施の形態では１１本）の金属フレーム４ａ，・・・を開いたとき横長矩形状をなしかつ自在に折畳みできるように枠組みされた譜面支え４が装着されている。
【００１０】
　前記譜面支え４の後面、すなわち中央に位置する幅広の金属フレーム４ａの後面、に該後面に対し直角をなす腕部材５が固着されている。該腕部材５一側の鉛直面ａ側には、該鉛直面ａに直交する水平軸Ｏを中心軸線とし両端が開口する軸筒部６が突設され、内部には前記水平軸Ｏに沿って螺子挿通孔７が貫設されている。
【００１１】
　また、図５に示すように前記軸筒部６の基端側には軸筒部６より太径の短柱部６ａが同心円状に周設され、更に、その外周縁であって前記鉛直面ａに無数の凹凸歯を列設した円形噛合部８が前記水平軸Ｏを中心とする同心円状に成形されている。更にまた、前記軸筒部６の基端側の外周面の所定位置に、その周方向に沿って外周全体の４分の１程度の長さを有する円孤状規制部９が設けられている。軸筒部６の先端内周面にはその周方向に沿って複数個（本実施の形態では４個）の回り止め片１０が等間隔に配置されている。
【００１２】
　一方、前記支柱１の上端位置にある金属パイプ１ａの上端に保持部材１１が固着されている。該保持部材１１も上部に両端が開口する円筒部１１ａを一体に有し、該円筒部１１ａの内部に両端側に設けられた段部１１ｂを介して前記軸筒部６を挿通する軸孔１２が貫設される。そして、前記腕部材５の鉛直面ａと対峙する鉛直面ｂに前記軸孔１２と同心円状をなしかつ前記円形噛合部８と同じ直径を有して噛合し得る円形噛合部１３が成形されている。この円形噛合部１３は軸筒部６が軸孔１２内を水平軸Ｏに沿って摺動することに伴い、対峙する円形噛合部８に水平方向で自在に接離するようになっている。また、円形噛合部１３側であって軸孔１２の外周縁に前記腕部材５の円孤状規制部９が嵌合し得る円弧状凹溝１４が、軸孔１２の周方向に沿ったほぼ半分の長さに亘り成形されている。一方、保持部材１１の他方の開口内側には図６に示すように軸孔１２の外周縁であって段部１１ｂの所定位置に、その周方向に沿った４分の１の長さに亘り円弧状規制部１５が設けられている。
【００１３】
　前記軸孔１２に挿通された軸筒部６の先端には押圧部材１６が取着される。この押圧部材１６は、図６に示すように一方が開口し他方が蓋板１７により閉塞した短円筒状をなし、該蓋板１７の内側面中央に、前記軸筒部６の先端開口６ｂに嵌入する凸軸部１８が突設され、該凸軸部１８の端面にねじ孔１９が穿設されている。また、該凸軸部１８の端面外周縁に前記各回り止め片１０が係合する係合凹部２０が設けられている。更に、凸軸部１８の基端側には該凸軸部１８より大径の大径円板部２１が同心円状に設けられ、該大径円板部２１の外周縁の所定位置にその周方向の４分の１に亘り張出部２２が一体に設けられている。
【００１４】
　そこで、互いの円形噛合部８，１３を対峙させ、軸筒部６を軸孔１２内に挿通し、
各回り止め片１０を各係合凹部２０に係合させた状態で押圧部材１６の突軸部１８を軸筒部６の先端開口６ｂに嵌入させる。この際、保持部材１１と押圧部材１６との間に弾発手段としての圧縮コイルバネ２３が介装される。この状態で、前記腕部材５の一側から螺子挿通孔７を介してねじ孔１９に螺子２４を螺締する。これにより、腕部材５と押圧部材１６との間に保持部材１１が介在されしかも保持部材１１が常に腕部材５側に付勢されていることになる。
【００１５】
　また、保持部材１１が常に腕部材５側に付勢されると、両円形噛合部８，１３が互いに噛合することになる。このとき、譜面支え４が回動不能に固定され、支柱１に対し所定の角度位置で停止保持される。一方、圧縮コイルバネ２３の付勢に抗して保持部材１１を押圧部材１６側へ移動させ前記両円形噛合部８，１３を離隔すると、譜面支え４が鉛直面内で前後に回動できるようになる。
【００１６】
　次に、作用を説明する。まず、上端位置にある金属パイプ１ａをその下位置にある金属パイプ１ｂの上端に差し込み、上端位置にある金属パイプ１ａを適宜位置で調整ねじ２により固定する。譜面支え４が前記金属パイプ１ａに添って折り畳まれているときは、腕部材５の円弧状規制部９が図９(イ)の破線位置にあって保持部材１１の円弧状凹溝１４から脱し段部１１ｂに当接している。また、押圧部材１６の張出部２２は図９(ロ)の実線位置にある。この状態では、図７に示すように圧縮コイルバネ２３の付勢に抗して両円形噛合部８，１３が離隔し、譜面支え４が自由に回動できる状態にある。
【００１７】
　次に、譜面支え４を図９（イ）（ロ）鎖線に示すように前記位置から金属パイプ１ａに対し９０度をなしほぼ水平になるように回動したとき、腕部材５の円弧状規制部９は図９(イ)の矢視方向へ回動して同図（イ）の想像線位置に移動する。同様に、押圧部材１６の張出部２２は図９(ロ)の矢視方向へ回動して同図（ロ）の想像線位置に移動する。この状態では、図８に示すように円弧状規制部９が円弧状凹溝１４内に嵌入し、保持部材１１が圧縮コイルバネ２３の付勢により腕部材５側へ押されて両円形噛合部８，１３が互いに噛合する。よって、その位置では譜面支え４は回動不能に停止保持される。
【００１８】
　この状態で、圧縮コイルバネ２３の付勢に抗して保持部材１１を押圧部材１６側へ移動させると、腕部材５の円弧状規制部９が保持部材１１の円弧状凹溝１４から脱っしかつ両円形噛合部８，１３が離隔して譜面支え４が自在に回動できるようになる。そこで、図１０（イ）に示すように譜面支え４を実線位置から想像線位置へ更に９０度回動させほぼ鉛直に起立させると、円弧状規制部９が図１０（イ）の矢視方向に示すように実線位置から想像線位置へ移動する。同様に、張出部２２も図１０（ロ）の矢視方向に示すように実線位置から想像線位置へ移動する。この間、譜面支え４を所定の角度位置で停止保持する場合は、その角度位置にきたとき、保持部材１１を腕部材５側へ移動させる。これにより、円弧状規制部９が円弧状凹溝１４内に再び嵌入すると共に両円形噛合部８，１３が噛合し、譜面支え４がその角度位置で回動不能に固定保持される。
【００１９】
　本考案に係る譜面台Ａは上記構成からなり、使用するときは三脚３を開き支柱１を床面上に立設し、最上端に位置する金属パイプ１ａをその下位置にある金属パイプ１ｂの上端に差し込み譜面支え４の高さをあらかじめ決めて調整ねじ２を締める。また、譜面支え４をほぼ水平位置まで起こす。この状態で、金属パイプ１ａを手で握ると共に押圧部材１６を押し、圧縮コイルバネ２３の付勢に抗して保持部材１１を押圧部材１６側へ移動させる。そして、譜面支え４を所望の角度に決めてから保持部材１１を元の位置に戻す。これにより、両円形噛合部８，１３が噛合して固定保持されるので、譜面支え４の角度調整がワンタッチで簡単に行なえるばかりでなく、その角度調整が常に変わることなく確実に行える。また、膝などが無用に当たっても、両円形噛合部８，１３がしっかり噛合しているので、譜面支え４の角度は全く変わるようなことがない。この状態で譜面支え４を開いて使用に供する。
【００２０】
　譜面台Ａをしまうために折り畳むときは、譜面支え４を折り畳むと共に押圧部材１６を押し保持部材１１を押圧部材１６側へ移動させながら譜面支え４を金属パイプ１ａに対しほぼ９０度になる位置まで回動する。更に、押圧部材１６を押して譜面支え４を金属パイプ１ａに添うまで回動させる。この間譜面支え４が回動し始めたら、円弧状規制部９が段部１１ｂに摺接することになるので、押圧部材１６を押し続けついる必要はない。このようにして譜面台Ａが折り畳まれる。
【図面の簡単な説明】
【００２１】
【図１】本考案に係る譜面台の後から見た斜視図。
【図２】同要部の拡大斜視図。
【図３】同要部の側面断面図。
【図４】同要部の分解斜視図。
【図５】腕部材部分と保持部材部分の斜視図。
【図６】保持部材部分と押圧部材との斜視図。
【図７】両円形噛合部が噛合してない状態の要部の背面断面図。
【図８】両円形噛合部が噛合している状態の要部の背面断面図。
【図９】（イ）（ロ）は作用を説明する要部の側面断面図。
【図１０】（イ）（ロ）は作用を説明する要部の側面断面図。
【符号の説明】
【００２２】
　１　　　支柱
　４　　　譜面支え
　５　　　腕部材
　８　　　円形噛合部
　１１　　保持部材
　１３　　円形噛合部
　２３　　弾発手段（圧縮コイルバネ）
　Ａ　　　譜面台
【図１】
0003100264.tif 000003
【図２】
0003100264.tif 000004
【図３】
0003100264.tif 000005
【図４】
0003100264.tif 000006
【図５】
0003100264.tif 000007
【図６】
0003100264.tif 000008
【図７】
0003100264.tif 000009
【図８】
0003100264.tif 000010
【図９】
0003100264.tif 000011
【図１０】
0003100264.tif 000012